(57)【要約】      （修正有）【課題】包装内の食材を取り出しやすくし、取り出すつもりのない食材の包装を破壊しない、包装容器の構造を提供する。【解決手段】複数の一側に凹設されていると共に間隔を空けて交錯状に配列されている収容溝２が設けられ、各収容溝の周壁及び内径は深さ方向に沿って漸縮状になり、且つ各収容溝は球面を呈している底部を有している透明シート１と、透明シートに設けられていると共に各収容溝を封止するためのパッケージフィルムと、各収容溝にそれぞれ装填されている球形を呈している食材４であって、この球形の食材は収容溝の周壁、底部、及びパッケージフィルムと同時に当接している球形を呈している食材と、を備えている。【選択図】図１
0003234595.tif 000002
【実用新案登録請求の範囲】
【請求項１】
複数の一側に凹設されていると共に間隔を空けて交錯状に配列されている収容溝が設けられ、各収容溝の周壁及び内径は深さ方向に沿って漸縮状になり、且つ各収容溝は球面を呈している底部を有している透明シートと、
前記透明シートに設けられ、各収容溝を封止しているパッケージフィルムと、
収容溝に１つずつ装填されている複数の球形を呈している食材であって、各前記食材の下半部が収容溝に対応する周壁及び底部にそれぞれ当接し、前記パッケージフィルムが各食材の上部を被覆する複数の球形を呈している食材と、を備えていることを特徴とする包装容器の構造。
【考案の詳細な説明】
【技術分野】
【０００１】
本考案は、包装容器の構造に関し、更に詳しくは、錠状またはカプセル状食材を収容する包装容器に関する。
【背景技術】
【０００２】
一般的によくある食材包装容器は図４に示すように、複数の収容溝５１を有しているシート５を備え、各収容溝５１には食材６をそれぞれ装填している。これら収容溝５１は通常前記シート５に２列で直線配列するように設置され、且つ収容溝５１は２列の位置を揃えて隣接するように対応している。
【考案の概要】
【考案が解決しようとする課題】
【０００３】
しかしながら、各収容溝５１の間隔が非常に密接しているため、上述の配置方式ではユーザーが収容溝５１内の食材６を取り出しにくくなり、取り出すつもりがなかった隣の食材の包装までも破いてしまうことがあり、使用上不便であった。
【０００４】
さらに、従来の包装容器の収容溝５１の空間は通常装填する食材６の体積よりもずっと大きいため、図５に示すように、過大な収容溝５１が過剰な空気を含み、食材６が酸化して容易に変質したり、粘着することがあり、ユーザーの食後の健康に影響を及ぼした。また、食材６が過大な収容溝５１中で定位せず、揺れ動いて包装にぶつかりやすく、包装や食材６が破裂することがあった。
【０００５】
そこで、本考案者は上記の欠点が改善可能と考え、鋭意検討を重ねた結果、合理的設計で上記の課題を効果的に改善する本考案の提案に至った。
【０００６】
本考案はこうした状況に鑑みてなされたものであり、その目的は、包装容器の構造を提供することにある。すなわち、包装内の食材を取り出しやすくし、取り出すつもりのない食材の包装を破壊しないようにする。また、本考案の包装空間は適度な大きさであり、食材が包装内で揺れ動いて包装を破裂しなくなり、且つ包装内に含まれる空気も少なくなり、食材が変質しにくくなるという効果を有している。
【課題を解決するための手段】
【０００７】
上記目的を達成するための主たる考案は、
複数の一側に凹設されていると共に間隔を空けて交錯状に配列されている収容溝が設けられ、各収容溝の周壁及び内径は深さ方向に沿って漸縮状になり、且つ各収容溝は球面を呈している底部を有している透明シートと、
前記透明シートに設けられ、各収容溝を封止しているパッケージフィルムと、
前記収容溝に１つずつ装填され、且つ前記収容溝の周壁、底部、及び前記パッケージフィルムと同時に当接している複数の球形を呈している食材と、を備えていることを特徴とする包装容器の構造である。
【０００８】
本考案の好適例において、前記収容溝の数量は１０であり、且つ４つ、２つ、４つの前記収容溝が前記透明シートに縦方向に並列して直線配列するように形成され、且つ各収容溝の位置は前記透明シートの横方向上で交錯状を呈している。
【０００９】
本明細書及び図面の記載により、少なくとも、以下の事項が明らかとなる。
【図面の簡単な説明】
【００１０】
【図１】本考案の一実施形態に係る包装容器の構造を示す外観斜視図である。
【図２】本考案の一実施形態に係る包装容器の構造を示す上面図である。
【図３】本考案の一実施形態に係る包装容器の構造を模式的に示した断面図である。
【図４】従来の包装容器の構造を示す外観斜視図である。
【図５】従来の包装容器の構造を模式的に示した断面図である。
【考案を実施するための形態】
【００１１】
以下、図面を参照しつつ、本考案に係る包装容器の構造について具体的に説明する。なお、本考案は、以下に説明する実施形態に限定されるものではない。
【００１２】
まず、次に、図１〜３を参照しながら、本考案の包装容器の構造をさらに詳しく説明する。
【００１３】
本考案の包装容器の構造はプラスチック材質で製造されている透明矩形シート１を備え、一側に凹設されている１０個の収容溝２が形成され、保健食品や薬品等の食用の食材４を装填し、且つパッケージフィルム３が前記シート１に密着し、食材４を各収容溝２中に封止している。上述の前記パッケージフィルム３は防水のアルミ箔材質である。
【００１４】
また、前記シート１には縦方向Ｙ及び横方向Ｘが定義されている（図２参照）。前記収容溝２は４つ、２つ、４つがそれぞれ３組となり、各組が直線配列Ｌ１、Ｌ２、Ｌ３をそれぞれ構成し、且つ前記縦方向Ｙに沿って前記シート１に配置されている。また、前記シート１の横方向Ｘに沿って観察すると、各収容溝２が交錯状に設けられている。詳しくは、ある１つの直線配列中の各収容溝２と隣接する直線配列中の収容溝２'とは位置が互いに対応しない。これにより、各収容溝２と他の近接する収容溝２'との間に適度な間隔を有し、各収容溝２、２'の間の中心間隔Ｄが2cmよりも大きく定義され、ユーザーがそのうちの１つの収容溝２から食材４を取り出す場合、収容溝２、２'の間の間隔を作用点として指で押し、他の収容溝の位置を押さないようにし、食材４を取り出す際に食材を取り出すつもりのない他の包装を破壊しないようにしている。
【００１５】
上述の収容溝２に充填されている食材４は球形を呈し、さらなる例示では保健食品や薬品で製造されている球形のソフトカプセルである。各収容溝２は球形を呈している食材４の形状に適合し（図３参照）、前記シート１に連接されている周壁２１及び前記周壁２１に連接されている底部２２を有している。前記周壁２１は収容溝２の深さ方向に沿って漸縮する円錐状に形成され、且つ前記収容溝２の内径は深さ方向に沿って漸縮し、前記底部２２が球面を形成している。このような構成の円錐形状により前記収容溝２が十分な構造強度を有し、圧力に耐えられ、潰れずに包装の外観の完全性を保持する。
【００１６】
なお、前記収容溝２は周壁２１及び底部２２が同時に球形の食材４の下半部の円周面に緊密に当接し、且つ前記パッケージフィルム３も球形の食材４の上部に被覆するように当接し、これにより球形の食材４が安定的に拘束されて収容溝２中に定位し、揺れ動いて周壁２１、底部２２、或いはパッケージフィルム３にぶつかって破裂させることがなく、食材４の外観の完全性を保持させる。また、シート１が透明状であるため、ユーザーが収容溝２に装填された食材４の状態を直接見ることができる。なお、前記収容溝２内の空間が狭いため、含有する空気量が大きく減少し、よって食材４が前記収容溝２中で空気により酸化反応を発生させて変質することは少なく、食材４の衛生状態及び食用の安全性を保持し、さらに粘着する現象も効果的に抑制し、食材４の保存期限を大幅に延長する。
【００１７】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００１８】
１  シート
２  収容溝
２'  収容溝
２１  周壁
２２  底部
３  パッケージフィルム
４  食材
Ｄ  間隔
Ｌ１  直線配列
Ｌ２  直線配列
Ｌ３  直線配列
Ｘ  横方向
Ｙ  縦方向
５  シート
５１  収容溝
６  食材
【図１】
0003234595.tif 000003
【図２】
0003234595.tif 000004
【図３】
0003234595.tif 000005
【図４】
0003234595.tif 000006
【図５】
0003234595.tif 000007